(57)【要約】【課題】表示メモリの容量を縮小し、かつ定電流源を備えるデータ線駆動回路のコストを抑えることができる発光表示パネルの駆動装置および駆動方法を提供すること。【解決手段】複数の発光色Ｒ，Ｇ，Ｂに対応する発光素子をそれぞれサブ画素として備え、これら複数のサブ画素を組として１つの表示画素を構成すると共に、前記表示画素を面方向に多数配列してなる表示パネル１が用いられる。また、１つの表示画素に対応して駆動電流を供給する１つの電源（定電流源）がそれぞれ設けられると共に、一走査期間ごとに、前記１つの表示画素を構成する各発光素子に対して、前記１つの電源から選択的に駆動電流を供給するデータドライバ２が具備される。前記データドライバ２には、１つの表示画素を構成する各発光素子のアノード端子に対して、前記１つの電源より選択的に駆動電流を供給するドライブスイッチを含む選択供給手段が備えられている。【選択図】図３Ａ
2009134162.tif 000002
【特許請求の範囲】
【請求項１】
複数の発光色に対応する発光素子をそれぞれサブ画素として備え、これら複数のサブ画素を組として１つの表示画素を構成すると共に、前記表示画素を面方向に多数配列してなる表示パネルと、
前記１つの表示画素に対応して駆動電流を供給する１つの電源がそれぞれ設けられると共に、一走査期間ごとに、前記１つの表示画素を構成する各発光素子に対して、前記１つの電源から選択的に駆動電流を供給する選択供給手段を備えたドライバ回路と、
が具備されていることを特徴とする発光表示パネルの駆動装置。
【請求項２】
前記ドライバ回路は、前記各発光素子のアノード端子に対して駆動電流を供給する前記電源を備えたデータドライバと、前記各発光素子のカソード端子に対して順次走査電位を印加する走査ドライバより構成され、
前記データドライバには、１つの表示画素を構成する各発光素子のアノード端子に対して、前記１つの電源より選択的に駆動電流を供給するドライブスイッチを含む前記選択供給手段が備えられ、
前記走査ドライバには、前記１つの表示画素を構成する各発光素子のカソード端子に対して同時に走査電位を印加する走査スイッチが備えられていることを特徴とする請求項１に記載された発光表示パネルの駆動装置。
【請求項３】
前記１つの表示画素を構成する各発光素子のカソード端子は、共通の走査線に接続され、走査期間において前記走査ドライバに備えられた走査スイッチを介して、前記共通の走査線に対して走査電位を印加するように構成されていることを特徴とする請求項２に記載された発光表示パネルの駆動装置。
【請求項４】
前記ドライバ回路は、前記各発光素子のアノード端子に対して駆動電流を供給する前記電源を備えたデータドライバと、前記各発光素子のカソード端子に対して順次走査電位を印加する走査ドライバより構成され、
前記データドライバには、１つの表示画素を構成する各発光素子のアノード端子に対して、同時に前記１つの電源より駆動電流を供給するドライブスイッチが備えられ、
前記走査ドライバには、前記１つの表示画素を構成する各発光素子のカソード端子に対して、選択的に走査電位を印加する走査スイッチを含む前記選択供給手段が備えられていることを特徴とする請求項１に記載された発光表示パネルの駆動装置。
【請求項５】
前記１つの表示画素を構成する各発光素子のカソード端子は、それぞれ異なった走査線に接続され、走査期間において前記走査ドライバに備えられた走査スイッチを介して、前記異なった各走査線に対して選択的に走査電位を印加するように構成されていることを特徴とする請求項４に記載された発光表示パネルの駆動装置。
【請求項６】
複数の発光色に対応する発光素子をそれぞれサブ画素として備え、これら複数のサブ画素を組として１つの表示画素を構成すると共に、前記表示画素を面方向に多数配列してなる表示パネルを点灯駆動する発光表示パネルの駆動方法であって、
前記１つの表示画素に対応して駆動電流を供給する１つの電源がそれぞれ設けられると共に、選択供給手段により一走査期間ごとに、前記１つの電源から前記１つの表示画素を構成する各発光素子に対して、選択的に駆動電流を供給する供給動作が実行されることを特徴とする発光表示パネルの駆動方法。
【請求項７】
前記選択供給手段は、一走査期間ごとに、前記１つの表示画素を構成する各発光素子のアノード端子に対して、前記１つの電源より選択的に駆動電流を供給する動作を実行すると共に、前記１つの表示画素を構成する各発光素子のカソード端子に対して、同時に走査電位を印加する動作を実行することを特徴とする請求項６に記載された発光表示パネルの駆動方法。
【請求項８】
前記選択供給手段は、一走査期間ごとに、前記１つの表示画素を構成する各発光素子のアノード端子に対して、前記１つの電源より同時に駆動電流を供給する動作を実行すると共に、前記１つの表示画素を構成する各発光素子のカソード端子に対して、選択的に走査電位を印加する動作を実行することを特徴とする請求項６に記載された発光表示パネルの駆動方法。
【発明の詳細な説明】
【技術分野】
【０００１】
この発明は、例えば有機ＥＬ（エレクトロ・ルミネッセンス）素子を表示素子として用い、表示画面の全体もしくは一部において、表示色を切り替えることができる発光表示パネルの駆動装置および駆動方法に関する。
【背景技術】
【０００２】
有機ＥＬ素子は自発光型素子であるため、これを用いた表示パネルにおいては視野角に制限がなく、また従来の液晶表示装置に必要なバックライトも不要であるので、表示パネルのさらなる薄型化に寄与することができる。さらに有機ＥＬ素子は低電圧の直流電源により、効率の高い点灯駆動動作がなされるなどの特質を有している。したがって、有機ＥＬ素子による表示パネルは、現状において広く用いられている液晶表示パネルに代わる次世代の表示パネルとして注目されている。
【０００３】
かかる有機ＥＬ素子を用いた表示パネルとして、素子をドットマトリクス状に配列することでカラー表示が可能なパッシブ駆動型表示パネルが提案されている。図１Ａおよび図１Ｂは、Ｒ（赤）、Ｇ（緑）、Ｂ（青）の各色を発光するＥＬ素子をそれぞれサブ画素として１つのカラー表示画素を形成してなる表示パネルおよびそのドライブ回路の例を示したものである。
【０００４】
図１Ａおよび図１Ｂに示すように、表示パネル１にはデータ線と、走査線が互いに直交するようにして配列され、それぞれの交差した部分に有機ＥＬ素子が接続されている。図に示す例においては縦方向（列方向）に沿う各データ線に対応して前記したＲ，Ｇ，Ｂの各色を発光するＥＬ素子のアノード端子がそれぞれ接続され、また横方向（行方向）に沿う走査線に前記Ｒ，Ｇ，Ｂの各色を発光するＥＬ素子のカソード端子が共通接続されている。
【０００５】
そして、前記Ｒ，Ｇ，Ｂの各色を発光するＥＬ素子はサブ画素を構成し、これら３つのサブ画素により１つのカラー表示画素を構成している。なお、図においては紙面の都合により、縦横方向に２×３のカラー表示画素が配置された状況を示しているが、現実には多数のカラー表示画素が縦横方向に配置され、ドットマトリクス型表示パネルを構成している。
【０００６】
前記した表示パネル１の各データ線にはデータドライバ２より、選択的に定電流が供給されるようになされる。すなわち、各データ線はデータドライバ２内に配置されたドライブスイッチＳＲ１，ＳＧ１，ＳＢ１，……にそれぞれ接続され、前記各ドライブスイッチを介してデータドライバ２内の定電流回路からの定電流、もしくは非点灯電位ＶＬが各データ線に供給されるように構成されている。そして前記各ドライブスイッチは、データドライバ２における制御部２Ａからの指令により切替え制御される。
【０００７】
一方、前記した表示パネル１の各走査線には走査ドライバ３より、択一的に走査電位が供給されるようになされる。すなわち、各走査線はそれぞれ走査ドライバ３に配置された走査スイッチＳＫ１，ＳＫ２，……に接続され、前記各走査スイッチを介して走査電位ＶＬ、もしくは逆バイアス電圧ＶＨが各走査線に供給されるように構成されている。なお、図１Ａおよび図１Ｂに示す構成においては、前記した非点灯電位ＶＬおよび走査電位ＶＬは同一レベルの電位、例えば表示パネル１の基準電位に設定されている。
【０００８】
図１Ａは、走査スイッチＳＫ１が走査電位ＶＬを選択することにより、１番目の走査線が走査状態になされた場合を示しており、この時、走査スイッチＳＫ１以外の各走査スイッチは逆バイアス電圧ＶＨを選択するように動作する。これにより、図１Ａにおいては１番目の走査線に接続された○印で示した素子が点灯状態になされ、Ｒ，Ｇ，Ｂのサブ画素の点灯度合いによりカラー表示画素の発光色（表示色）が調整される。
【０００９】
また、図１Ｂは、走査スイッチＳＫ２が走査電位ＶＬを選択することにより、２番目の走査線が走査状態になされた場合を示しており、この時、走査スイッチＳＫ２以外の各走査スイッチは逆バイアス電圧ＶＨを選択するように動作する。これにより、図１Ｂにおいては２番目の走査線に接続された○印で示した素子が点灯状態になされ、同様にしてＲ，Ｇ，Ｂのサブ画素の点灯度合いによりカラー表示画素の発光色（表示色）が調整される。
【００１０】
図２Ａは、図１Ａおよび図１Ｂに示したカラー表示パネルの駆動動作、すなわち一走査期間においてなされる階調制御の例を示している。なお、図２ＡにおいてＲ，Ｇ，Ｂで示したそれぞれは、各サブ画素に印加される電圧レベルの状態を示しており、Ｋ１およびＫ２で示したそれぞれは、第１および第２番目の走査線に印加される電圧レベル（走査電位）の状況を示している。すなわち、図２Ａにおいては第１番目の走査線が走査状態になされていることを示している。
【００１１】
図２Ａに示すように一走査期間毎にリセット期間Ｒｅ、予備充電（プリチャージ）期間Ｐｃ、定電流駆動期間（点灯期間）が設定される。前記リセット期間Ｒｅにおいては、図１Ａおよび図１Ｂに示す各ドライブスイッチＳＲ１，ＳＧ１，ＳＢ１，……および各走査スイッチＳＫ１，ＳＫ２，……は全て電位ＶＬを選択し、これにより、各ＥＬ素子の寄生容量に蓄積されている電荷は放電され、リセット状態になされる。
【００１２】
これに続くプリチャージ期間Ｐｃにおいては、通称陰極リセットと呼ばれるプリチャージ手段、或いは点灯期間における電流値よりも大きな電流を供給する定電流によるプリチャージ手段、また図には示されていないプリチャージ電圧を利用する定電圧によるプリチャージ手段を選択することができる。例えば前記した陰極リセットと呼ばれるプリチャージ手段を採用する場合においては、各ドライブスイッチＳＲ１，ＳＧ１，ＳＢ１，……は、電位ＶＬと定電流源のどちらも選択しないハイインピーダンス状態とする。
【００１３】
そして次に点灯対象となる走査線に対応する走査スイッチＳＫ１は電位ＶＬを選択し、他の走査線に対応する走査スイッチＳＫ２，……は逆バイアス電圧ＶＨを選択するように動作する。これにより、次に点灯対象となる走査線に接続された各ＥＬ素子の寄生容量に対して順方向にプリチャージすることができる。
【００１４】
その後、点灯期間（定電流駆動期間）に移行し、前記ドライブスイッチＳＲ１，ＳＧ１，ＳＢ１，……によって、点灯させるべきＥＬ素子に対応するデータ線（点灯ライン）には、定電流源より定電流が供給される。また、非点灯になされるＥＬ素子に対応するデータ線（非点灯ライン）は、電位ＶＬに設定される。
【００１５】
図２Ａに示す例は、電流階調方式を示すものであり、点灯期間においてはＲ，Ｇ，Ｂの各サブ画素に供給される電流値が、一例として破線のハッチングで示したレベルに設定される。なお図２Ａは電圧値のレベルで示しているが、電圧値は電流値に比例する。これにより発光される各サブ画素からの発光色の混合度合いにより、カラー表示画素ごとの表示色および階調が決定される。
【００１６】
次に図２Ｂは、図１Ａおよび図１Ｂに示したカラー表示パネルの駆動動作、すなわち一走査期間においてなされる階調制御の他の例を示している。なお、図２Ｂはすでに説明した図２Ａに示した形態と同様のタイミングチャートで示しており、したがって個々の説明は省略する。
【００１７】
図２Ｂに示す例は、時間階調方式を示すものであり、点灯期間においてＲ，Ｇ，Ｂの各サブ画素に供給される電流値は予め定められた一定値になされる。そして、破線のハッチングで示したように走査期間に占める点灯期間Ｒ，Ｇ，Ｂの割合（時間割合）がそれぞれ設定される。これにより発光される各サブ画素からの発光色の混合度合いにより、カラー表示画素ごとの表示色および階調が決定される。
【００１８】
以上説明したカラー表示パネルの駆動装置については、すでに数多くの特許出願がなされており、本件出願人において出願した例えば特許文献１などにも開示されている。
【特許文献１】特開２００３−３０２９３８号公報
【発明の開示】
【発明が解決しようとする課題】
【００１９】
ところで、前記した構成のカラー表示パネルの駆動装置においては、図２Ａに示す電流階調方式を採用するにしても、図２Ｂに示す時間階調方式を採用するにしても、Ｒ，Ｇ，Ｂの各サブ画素ごとの階調表現のためのデータを表示メモリに格納する必要がある。この場合、各サブ画素ごとのデータ格納のために、それぞれ数ビット程度のメモリを割り当てる必要が生じ、このためにカラー表示画素の数に比例して、大きなメモリ容量が必要となる。このメモリ容量の増大は即座に製品コストに反映され、低価格帯の商品への採用上のネックとなる。
【００２０】
また、前記したカラー表示パネルの駆動装置においては、Ｒ，Ｇ，Ｂの各サブ画素ごとにこれらを独立して点灯駆動するための定電流源が必要であり、したがってカラー表示画素の数に比例して、多数の定電流源を備えることになる。前記定電流源はデータ線駆動回路を構成するＩＣチップにおいて、大きな面積を必要とするため、これによるコストの高騰は免れないものであった。
【００２１】
一方、昨今においては、この種の表示パネルはきわめて安価な商品分野にも採用されるなど、その用途は益々拡大されている。そして用途によってはパネル全体の表示色もしくはパネルの一部の表示色を数色の中から選択できるように機能させることで、表示上の見栄えを十分に確保することができるものもある。
【００２２】
この発明は、前記した点に着目してなされたものであり、前記した表示メモリの容量の拡大、および定電流源を備えるデータ線駆動回路のコストを抑え、低価格帯の商品に対しても容易に採用することができる発光表示パネルの駆動装置および駆動方法を提供することを課題とするものである。
【課題を解決するための手段】
【００２３】
前記した課題を解決するためになされたこの発明にかかる発光表示パネルの駆動装置における好ましい基本形態は、請求項１に記載のとおり、複数の発光色に対応する発光素子をそれぞれサブ画素として備え、これら複数のサブ画素を組として１つの表示画素を構成すると共に、前記表示画素を面方向に多数配列してなる表示パネルと、前記１つの表示画素に対応して駆動電流を供給する１つの電源がそれぞれ設けられると共に、一走査期間ごとに、前記１つの表示画素を構成する各発光素子に対して、前記１つの電源から選択的に駆動電流を供給する選択供給手段を備えたドライバ回路とが具備されている点に特徴を有する。
【００２４】
また、この発明にかかる発光表示パネルの駆動方法は、請求項６に記載のとおり、複数の発光色に対応する発光素子をそれぞれサブ画素として備え、これら複数のサブ画素を組として１つの表示画素を構成すると共に、前記表示画素を面方向に多数配列してなる表示パネルを点灯駆動する発光表示パネルの駆動方法であって、前記１つの表示画素に対応して駆動電流を供給する１つの電源がそれぞれ設けられると共に、選択供給手段により一走査期間ごとに、前記１つの電源から前記１つの表示画素を構成する各発光素子に対して、選択的に駆動電流を供給する供給動作が実行される点に特徴を有する。
【発明を実施するための最良の形態】
【００２５】
以下、この発明にかかる発光表示パネルの駆動装置および駆動方法について、図に示す実施の形態に基づいて説明する。なお、以下に説明する各実施の形態においては、すでに説明した図１Ａおよび図１Ｂに示す構成要素と同一の機能を果たす部分は同一符号で示しており、したがって個々の説明は省略する。
【００２６】
この発明にかかる駆動装置において利用される表示パネルにおいては、複数の発光色に対応する発光素子をそれぞれサブ画素として備え、これら複数のサブ画素を組として１つの表示画素が構成される。すなわち、以下に説明する各実施の形態においては、前記したＲ，Ｇ，Ｂの各色を発光するＥＬ素子をそれぞれサブ画素として１つの表示画素を形成したものが利用される。
【００２７】
図３Ａおよび図３Ｂは、その第１の実施の形態を示すものであり、この図３Ａおよび図３Ｂにおいては紙面の都合により、縦横方向に２×３の表示画素が配置された状況を示している。しかしながら、現実には多数の同様の表示画素が縦横方向に配置され、ドットマトリクス型表示パネルを構成している。
【００２８】
そして、表示パネル１に配列された１つの表示画素に着目した場合、Ｒ，Ｇ，Ｂの各色を発光するサブ画素として機能する各ＥＬ素子は、それぞれのアノード端子が異なったデータ線に接続され、またサブ画素として機能する各ＥＬ素子の各カソード端子は、一つの共通の走査線にそれぞれ接続されている。すなわち、図１Ａおよび図１Ｂに示した表示パネルと同様の構成にされている。
【００２９】
一方、図３Ａおよび図３Ｂに示す実施の形態においては、列方向の１つの画素に対応して１つの電源としての定電流源がデータドライバ２に配置されており、前記１つの定電流源より、それぞれドライブスイッチを介して、１つの表示画素を構成するＲ，Ｇ，Ｂの各ＥＬ素子のアノード端子に対して独立して駆動電流が供給できるように構成されている。
【００３０】
すなわち、図に示す例においては、左側から１番目の表示画素にはドライブスイッチＳＲ１，ＳＧ１，ＳＢ１をそれぞれ介して１つの定電流源より各サブ画素を構成するＥＬ素子に対して駆動電流が供給されるように構成されている。また左側から２番目の表示画素にもドライブスイッチＳＲ２，ＳＧ２，ＳＢ２をそれぞれ介して同様に１つの定電流源より駆動電流が供給されるように構成され、さらに左側から３番目の表示画素にもドライブスイッチＳＲ３，ＳＧ３，ＳＢ３をそれぞれ介して同様に１つの定電流源より駆動電流が供給されるように構成されている。
【００３１】
そして、前記したドライブスイッチの動作は、データドライバ２に設けられた制御部２Ａからの指令により切替え制御され、この実施の形態においては、前記制御部２Ａと前記各ドライブスイッチとによりサブ画素単位に駆動電流を供給する選択供給手段を構成している。
【００３２】
図３Ａおよび図３Ｂに示す実施の形態においては、Ｒの発光色により画像が表示される例が示されている。すなわち、図３Ａは走査ドライバ３における走査スイッチＳＫ１が第１の走査線に対して走査電位を印加した状態を示しており、この時、左から１番目と３番目の表示画素におけるＲに対応するサブ画素が発光駆動される例が示されている。また、図３Ｂは走査ドライバ３における走査スイッチＳＫ２が第２の走査線に対して走査電位を印加した状態を示しており、この時、左から２番目の表示画素におけるＲに対応するサブ画素が発光駆動される例が示されている。
【００３３】
前記した動作は、予めＲの発光色により画像が表示されるように、例えばユーザが設定することで実現され、この設定によりデータドライバ２における制御部２Ａは、その走査において点灯表示させるべき表示画素について、Ｒに対応するドライブスイッチのみを定電流源に接続するように動作する。この動作により、少なくとも第１および第２走査線に対応する領域は、Ｒの発光色により画像が表示される。
【００３４】
前記した駆動方法によると、複数のサブ画素からなる１つの表示画素を１つの点灯表示データにより点灯駆動させることができるので、図１Ａおよび図１Ｂに示した従来のように各サブ画素に対応してそれぞれデータを保持することにより必要とされるメモリの容量を低減させることができる。また従来のように各サブ画素に対応して定電流源をそれぞれ備える構成に比較して、定電流源の数を１／３にすることができるので、データドライバ２を構成するＩＣチップのコストを大幅に下げることができる。
【００３５】
図４Ａおよび図４Ｂは、すでに説明した図３Ａおよび図３Ｂと同様の第１の実施の形態において、Ｒ，Ｇ，Ｂの各サブ画素を同時に点灯させることで、表示画素を白色光Ｗで点灯駆動させる動作例を示している。
【００３６】
すなわち、図４Ａは走査ドライバ３における走査スイッチＳＫ１が第１の走査線に対して走査電位を印加した状態を示しており、この時、左から１番目と３番目の表示画素におけるＲ，Ｇ，Ｂに対応する各サブ画素が発光駆動される例が示されている。また、図４Ｂは走査ドライバ３における走査スイッチＳＫ２が第２の走査線に対して走査電位を印加した状態を示しており、この時、左から２番目と３番目の表示画素におけるＲ，Ｇ，Ｂに対応する各サブ画素が発光駆動される例が示されている。
【００３７】
前記した動作は、予め白色光Ｗにより画像が表示されるように、例えばユーザが設定することで実現され、この設定によりデータドライバ２における制御部２Ａは、その走査において点灯表示させるべき表示画素について、Ｒ，Ｇ，Ｂのサブ画素のすべてに対応するドライブスイッチを定電流源に接続するように動作する。この動作により、少なくとも第１および第２走査線に対応する領域は、白色光Ｗにより画像が表示される。
【００３８】
以上説明した図４Ａおよび図４Ｂに示す白色光Ｗにより画像が表示する例においても、図３Ａおよび図３Ｂに示した例と同様の作用効果を得ることができる。
【００３９】
ところで、前記したように白色光Ｗにより画像を表示しようとする場合においては、Ｒ，Ｇ，Ｂのサブ画素において必要とする輝度はそれぞれ異なるものであり、また白色光Ｗにおけるカラーバランスをあえて変更するなどの操作を行うこともある。図５Ａ〜図５Ｃおよび図６は、前記したような場合において、カラーバランスを調整もしくは故意に変更させる場合の動作例を説明するものである。
【００４０】
すなわち、図５Ａ〜図５Ｃは、いずれも第１番目の走査線を走査している場合を示しており、図５Ａは図６に示す点灯期間Ｔ１においてなされる動作を、また図５Ｂは図６に示す点灯期間Ｔ２においてなされる動作を、さらに図５Ｃは図６に示す点灯期間Ｔ３においてなされる動作をそれぞれ示している。なお、図６はすでに説明した図２Ａおよび図２Ｂと同様のタイミングチャートで示しており、その詳細な説明は省略する。
【００４１】
先ず図５Ａに示す例は、左から１番目と３番目の表示画素におけるＲ，Ｇ，Ｂに対応する各サブ画素が発光駆動される場合を示しており、この場合においてはそれぞれ１つの定電流源から３分割されてＲ，Ｇ，Ｂに対応するＥＬ素子に駆動電流が供給される。この結果、図６に期間Ｔ１として示すように、Ｒ，Ｇ，Ｂの各素子に対してそれぞれほぼ等しい順方向電圧が印加されることになる。
【００４２】
続いて図５Ｂに示す例は、同じく左から１番目と３番目の表示画素におけるＲ，Ｇに対応する各サブ画素が発光駆動される場合を示しており、この場合においてはそれぞれ１つの定電流源から２分割されてＲ，Ｇに対応するＥＬ素子に駆動電流が供給される。この結果、図６に期間Ｔ２として示すように、Ｒ，Ｇの各素子に対してそれぞれほぼ等しい順方向電圧が印加されることになる。
【００４３】
さらに図５Ｃに示す例は、同じく左から１番目と３番目の表示画素におけるＲに対応するサブ画素が発光駆動される場合を示しており、この場合においてはそれぞれ１つの定電流源からＲに対応するＥＬ素子に駆動電流が供給される。この結果、図６に期間Ｔ３として示すように、Ｒの素子に対して大きな順方向電圧が印加されることになる。
【００４４】
図６に示すタイミングチャートにおいて、Ｔ１，Ｔ２，Ｔ３の時間配分によって、一走査期間におけるＲ，Ｇ，Ｂの各素子の発光輝度をそれぞれ調整することができ、これにより前記したとおり白色光Ｗにおけるカラーバランスを調整することができる。
【００４５】
図５Ａ〜図５Ｃおよび図６に示す動作例によると、前記したＴ１，Ｔ２，Ｔ３の時間配分に関して、制御データを格納する必要はあるものの、そのデータ量はわずかであり、したがって図５Ａ〜図５Ｃおよび図６に示す動作例においても、図３Ａおよび図３Ｂに示した例と同様の作用効果を得ることができる。
【００４６】
この発明にかかる第１の実施の形態を対象とした前記した説明においては、例えばＲもしくは白色光Ｗにより画像表示を行う例を示しているが、前記したように１つの表示画素にそれぞれＲ，Ｇ，Ｂに対応する各サブ画素を備えた構成おいては、前記Ｒ，Ｇ，Ｂによる単色を含めて、７つの発光色の組み合わせを実現することができる。また、走査線ごと、データ線ごと、またはそれらの組み合わせにより表示色を表示画素単位で選択することも可能となる。
【００４７】
図７Ａおよび図７Ｂはその例を説明するものであり、図７Ａは走査スイッチＳＫ１が第１の走査線に対して走査電位を印加した状態を示しており、この時、左から１番目の表示画素においてはＲ，Ｇ，Ｂによる白色光Ｗによる表示がなされる状態が示され、また左から２番目の表示画素においてはＧ，Ｂによる発光色による表示がなされる状態が示されている。また、左から３番目の表示画素においてはＲの単色による表示がなされる状態が示されている。
【００４８】
また、図７Ｂは走査スイッチＳＫ２が第２の走査線に対して走査電位を印加した状態を示しており、この時、左から１番目の表示画素においてはＲの単色による表示がなされる状態が示され、また左から２番目の表示画素においてはＲ，Ｇによる発光色による表示がなされる状態が示されている。また、左から３番目の表示画素においてはＧ，Ｂによる発光色による表示がなされる状態が示されている。
【００４９】
図７Ａおよび図７Ｂに示す動作例によると、前記した表示画素ごとにＲ，Ｇ，Ｂのサブ画素ごとの点灯制御の組み合わせが異なるものの、この点灯制御に要するデータ量は、Ｒ，Ｇ，Ｂのサブ画素の各階調制御を行うデータ量に比較してわずかである。したがって図７Ａおよび図７Ｂに示す動作例においても、図３Ａおよび図３Ｂに示した例と同様の作用効果を得ることができる。
【００５０】
次に図８Ａおよび図８Ｂは、この発明にかかる第２の実施の形態を示すものである。なお、図８Ａおよび図８Ｂにおいても紙面の都合により、表示パネル１には縦横方向に２×２の表示画素が配置された状況を示している。そして、表示パネル１に配列された１つの表示画素に着目した場合、Ｒ，Ｇ，Ｂの各色を発光するサブ画素として機能する各ＥＬ素子は、それぞれのアノード端子が一つの共通のデータ線にそれぞれ接続され、またサブ画素として機能する各ＥＬ素子の各カソード端子は、異なった走査線にそれぞれ接続されている。
【００５１】
そして、Ｒ，Ｇ，Ｂのサブ画素を構成するＥＬ素子のアノード端子が共通接続されたデータ線には、データドライバ２に配置されたドライブスイッチＳＤ１，ＳＤ２，……をそれぞれ介して電源としての定電流源より駆動電流が供給されるように構成されている。また、Ｒ，Ｇ，Ｂのサブ画素として機能する各ＥＬ素子の各カソード端子が接続されたそれぞれの走査線には、一走査ごとに独立して動作することができる走査スイッチをそれぞれ介して、走査電位ＶＬもしくは逆バイアス電圧ＶＨが印加できるように構成されている。
【００５２】
すなわち、この実施の形態においては、第１の走査により図８Ａに示すように走査スイッチＳＫＲ１，ＳＫＧ１，ＳＫＢ１を組として、これらが選択的に走査電位ＶＬを選択し、他は逆バイアス電圧ＶＨを選択するように動作する。また第２の走査により図８Ｂに示すように走査スイッチＳＫＲ２，ＳＫＧ２，ＳＫＢ２を組として、これらが選択的に走査電位ＶＬを選択し、他は逆バイアス電圧ＶＨを選択するように動作する。
【００５３】
これらの走査スイッチＳＫＲ１，ＳＫＧ１，ＳＫＢ１，……の動作は、走査ドライバ３に設けられた制御部３Ａからの指令により切替え制御され、この実施の形態においては、前記制御部３Ａと前記各走査スイッチＳＫＲ１，ＳＫＧ１，ＳＫＢ１，……とによりサブ画素単位に駆動電流を供給する選択供給手段を構成している。
【００５４】
そして、図８Ａおよび図８Ｂに示す実施の形態においては、Ｒの発光色により画像が表示される例が示されている。すなわち、図８Ａは第１の走査において組となる走査スイッチＳＫＲ１，ＳＫＧ１，ＳＫＢ１のうち、ＳＫＲ１のみが走査電位ＶＬ側に設定され、他は逆バイアス電圧ＶＨ側に設定された状態を示している。これにより、Ｒのサブ画素に対応するＥＬ素子が接続された走査線ＫＲ１が走査電位になされる。この時、動作例においてはドライブスイッチＳＤ１がオン状態となり、したがってこの第１の走査においては、左から１番目の表示画素におけるＲに対応するサブ画素が発光駆動される。
【００５５】
また、図８Ｂは第２の走査において組となる走査スイッチＳＫＲ２，ＳＫＧ２，ＳＫＢ２のうち、ＳＫＲ２のみが走査電位ＶＬ側に設定され、他は逆バイアス電圧ＶＨ側に設定された状態を示している。これにより、Ｒのサブ画素に対応するＥＬ素子が接続された走査線ＫＲ２が走査電位になされる。この時、動作例においてはドライブスイッチＳＤ２がオン状態となり、したがってこの第２の走査においては、左から２番目の表示画素におけるＲに対応するサブ画素が発光駆動される。
【００５６】
前記した動作は、予めＲの発光色により画像が表示されるように、例えばユーザが設定することで実現され、この設定により走査ドライバ３における制御部３Ａは、その走査において点灯表示させるべき表示画素について、Ｒに対応する走査スイッチのみを走査電位ＶＬに接続するように動作する。
【００５７】
図９は前記した動作を説明するタイミングチャートであり、ＬＳは走査同期信号を示している。すなわち第１走査においては、走査線ＫＲ１が走査電位ＶＬに設定され、他の走査線には逆バイアス電圧ＶＨが印加される。また第２走査においては、走査線ＫＲ２が走査電位ＶＬに設定され、他の走査線には逆バイアス電圧ＶＨが印加される。前記した動作により破線のハッチングで示した期間において、その走査線に接続されたサブ画素を構成するＲの発光色のＥＬ素子が点灯駆動されることになる。
【００５８】
前記した駆動方法によると、複数のサブ画素からなる１つの表示画素を１つの点灯表示データにより点灯駆動させることができるので、図１Ａおよび図１Ｂに示した従来のように各サブ画素に対応してそれぞれデータを保持することにより必要とされるメモリの容量を低減させることができる。この時、予め定められた走査スイッチのみをオン動作させるための制御データを必要とするものの、このデータ量は各サブ画素の階調を制御するデータ量に比較してきわめて少ない。
【００５９】
また、前記した駆動方法によると、従来のように各サブ画素に対応して定電流源をそれぞれ備える構成に比較して、定電流源の数を１／３にすることができるので、データドライバ２を構成するＩＣチップのコストを大幅に下げることができる。
【００６０】
図１０Ａおよび図１０Ｂは、すでに説明した図８Ａおよび図８Ｂと同様の第１の実施の形態において、Ｒ，Ｇ，Ｂの各サブ画素を同時に点灯させることで、表示画素を白色光Ｗで表示させる動作例を示している。
【００６１】
すなわち、図１０Ａは第１の走査において組となる走査スイッチＳＫＲ１，ＳＫＧ１，ＳＫＢ１が走査電位ＶＬ側に設定され、他は逆バイアス電圧ＶＨ側に設定された状態を示している。これにより、表示画素を構成するＲ，Ｇ，Ｂの各サブ画素に対応する各ＥＬ素子が接続された走査線ＫＲ１，ＫＢ１，ＫＢ１が走査電位になされる。この時、動作例においてはドライブスイッチＳＤ１がオン状態となり、したがってこの第１の走査においては、左から１番目の表示画素におけるＲ，Ｇ，Ｂに対応する各サブ画素が発光駆動される。これにより表示画素は白色光Ｗで表示されることになる。
【００６２】
また、図１０Ｂは第２の走査において組となる走査スイッチＳＫＲ２，ＳＫＧ２，ＳＫＢ２が走査電位ＶＬ側に設定され、他は逆バイアス電圧ＶＨ側に設定された状態を示している。これにより、表示画素を構成するＲ，Ｇ，Ｂの各サブ画素に対応する各ＥＬ素子が接続された走査線ＫＲ２，ＫＢ２，ＫＢ２が走査電位になされる。この時、動作例においてはドライブスイッチＳＤ２がオン状態となり、したがってこの第２の走査においては、左から２番目の表示画素におけるＲ，Ｇ，Ｂに対応する各サブ画素が発光駆動される。これにより表示画素は白色光Ｗで表示されることになる。
【００６３】
前記した動作は、予め白色光Ｗにより画像が表示されるように、例えばユーザが設定することで実現され、この設定により走査ドライバ３における制御部３Ａは、その走査において点灯表示させるべき表示画素について、Ｒ，Ｇ，Ｂに対応する走査スイッチを走査電位ＶＬ側に接続するように動作する。
【００６４】
図１１は前記した動作を説明するタイミングチャートであり、これはすでに説明した図９と同様のタイミングチャートで示している。すなわち第１走査においては、走査線ＫＲ１，ＫＧ１，ＫＢ１が走査電位ＶＬに設定され、他の走査線には逆バイアス電圧ＶＨが印加される。また第２走査においては、走査線ＫＲ２，ＫＧ２，ＫＢ２が走査電位ＶＬに設定され、他の走査線には逆バイアス電圧ＶＨが印加される。前記した動作により破線のハッチングで示した期間において、その走査線に接続されたサブ画素を構成するＥＬ素子が点灯駆動され、この例においては画素は白色光Ｗにより表示されることになる。
【００６５】
以上説明した図１０Ａおよび図１０Ｂに示す白色光Ｗにより画像が表示する例においても、図８Ａおよび図８Ｂに示した例と同様の作用効果を得ることができる。
【００６６】
ところで、前記したように白色光Ｗにより画像を表示しようとする場合においては、Ｒ，Ｇ，Ｂのサブ画素において必要とする輝度はそれぞれ異なるものであり、また白色光Ｗにおけるカラーバランスをあえて変更するなどの操作を行うこともある。図１２Ａ〜図１２Ｃおよび図１３は、前記したような場合において、カラーバランスを調整もしくは故意に変更させる場合の動作例を説明するものである。
【００６７】
すなわち、図１２Ａ〜図１２Ｃは、いずれも第１番目の走査を実行している場合を示しており、図１２Ａは図１３に示す点灯期間Ｔ１においてなされる動作を、また図１２Ｂは図１３に示す点灯期間Ｔ２においてなされる動作を、さらに図１２Ｃは図１３に示す点灯期間Ｔ３においてなされる動作をそれぞれ示している。なお、図１３はすでに説明した図９および図１１と同様のタイミングチャートで示しており、その詳細な説明は省略する。
【００６８】
先ず図１２Ａに示す例は、左から１番目の表示画素におけるＲ，Ｇ，Ｂに対応する各サブ画素が発光駆動される場合を示しており、この場合においてはそれぞれ１つの定電流源から３等分されてＲ，Ｇ，Ｂに対応するＥＬ素子に駆動電流が供給される。
【００６９】
続いて図１２Ｂに示す例は、同じく左から１番目の表示画素におけるＲ，Ｇに対応する各サブ画素が発光駆動される場合を示しており、この場合においてはそれぞれ１つの定電流源から２等分されてＲ，Ｇに対応するＥＬ素子に駆動電流が供給される。
【００７０】
さらに図１２Ｃに示す例は、同じく左から１番目の表示画素におけるＲに対応するサブ画素が発光駆動される場合を示しており、この場合においては１つの定電流源からＲに対応するＥＬ素子に駆動電流が供給される。
【００７１】
図１３に示すタイミングチャートにおいて、Ｔ１，Ｔ２，Ｔ３の時間配分によって、一走査期間におけるＲ，Ｇ，Ｂの各素子の発光輝度をそれぞれ調整することができ、これにより前記したとおり白色光Ｗにおけるカラーバランスを調整することができる。
【００７２】
図１２Ａ〜図１２Ｃおよび図１３に示す動作例によると、前記したＴ１，Ｔ２，Ｔ３の時間配分に関して、制御データを格納する必要はあるものの、そのデータ量はわずかであり、したがって図１２Ａ〜図１２Ｃおよび図１３に示す動作例においても、図８Ａおよび図８Ｂに示した例と同様の作用効果を得ることができる。
【００７３】
この発明にかかる第２の実施の形態を対象とした以上の説明においては、例えばＲもしくは白色光Ｗにより画像表示を行う例を示しているが、前記したように１つの表示画素にそれぞれＲ，Ｇ，Ｂに対応する各サブ画素を備えた構成おいては、前記Ｒ，Ｇ，Ｂによる単色を含めて、７つの発光色の組み合わせを実現することができる。また、走査線ごと、データ線ごと、またはそれらの組み合わせにより表示色を表示画素単位で選択することも可能となる。
【００７４】
以上説明した第１および第２の実施の形態においては、表示パネルに配列される発光素子として有機ＥＬ素子を用いた例を示しているが、前記発光素子としては電流もしくは電圧駆動形の他の発光素子を用いた場合においても同様の作用効果を得ることができる。
【００７５】
また、以上説明した実施の形態においては、１つの表示画素についてＲ，Ｇ，Ｂに対応する発光層による有機ＥＬ素子を用いているが、これはそれぞれ白色光を発光する素子にカラーフィルタを併用することによりＲ，Ｇ，Ｂの各色を発光させるようにしても良く、さらに例えば青色光を発光する素子と、色変換層を併用することで、Ｒ，Ｇ，Ｂの各色光を得るようにしても良い。
【００７６】
さらに、以上説明した実施の形態においては、１つの表示画素についてＲ，Ｇ，Ｂの各発光色によりサブ画素を構成した例を示しているが、これは、２色以上（複数）の発光色に対応するサブ画素により１つの表示画素を構成するものであっても良い。
【図面の簡単な説明】
【００７７】
【図１Ａ】従来のカラー表示を実現する表示パネルとその駆動回路において、第１の走査ラインが走査状態になされた例を示す回路構成図である。
【図１Ｂ】同じく、第２の走査ラインが走査状態になされた例を示す回路構成図である。
【図２Ａ】図１Ａおよび図１Ｂに示す構成においてなされる電流階調方式を説明するタイミングチャートである。
【図２Ｂ】同じく、時間階調方式を説明するタイミングチャートである。
【図３Ａ】この発明にかかる第１の実施の形態において、Ｒの発光色により画像を表示する場合における第１の走査ラインが走査状態になされた例を示す回路構成図である。
【図３Ｂ】同じく、第２の走査ラインが走査状態になされた例を示す回路構成図である。
【図４Ａ】同じく、白色光Ｗにより画像を表示する場合における第１の走査ラインが走査状態になされた例を示す回路構成図である。
【図４Ｂ】同じく、第２の走査ラインが走査状態になされた例を示す回路構成図である。
【図５Ａ】同じく、白色光Ｗにより画像を表示する場合において、カラーバランスを調整する第１段階の動作を説明する回路構成図である。
【図５Ｂ】同じく、第２段階の動作を説明する回路構成図である。
【図５Ｃ】同じく、第３段階の動作を説明する回路構成図である。
【図６】図５Ａ〜図５Ｃの動作によってなされるカラーバランスの調整動作を説明するタイミングチャートである。
【図７Ａ】他の発光色により画像を表示する場合における第１の走査ラインが走査状態になされた例を示す回路構成図である。
【図７Ｂ】同じく、第２の走査ラインが走査状態になされた例を示す回路構成図である。
【図８Ａ】この発明にかかる第２の実施の形態において、Ｒの発光色により画像を表示する場合における第１の走査状態を説明する回路構成図である。
【図８Ｂ】同じく、第２の走査状態を説明する回路構成図である。
【図９】図８Ａおよび図８Ｂの動作によってなされる走査状態を説明するタイミングチャートである。
【図１０Ａ】同じく、白色光Ｗにより画像を表示する場合における第１の走査状態を説明する回路構成図である。
【図１０Ｂ】同じく、第２の走査状態を説明する回路構成図である。
【図１１】図１０Ａおよび図１０Ｂの動作によってなされる走査状態を説明するタイミングチャートである。
【図１２Ａ】同じく、白色光Ｗにより画像を表示する場合において、カラーバランスを調整する第１段階の動作を説明する回路構成図である。
【図１２Ｂ】同じく、第２段階の動作を説明する回路構成図である。
【図１２Ｃ】同じく、第３段階の動作を説明する回路構成図である。
【図１３】図１２Ａ〜図１２Ｃの動作によってなされるカラーバランスの調整動作を説明するタイミングチャートである。
【符号の説明】
【００７８】
１      発光表示パネル
２      データドライバ
２Ａ    制御部
３      走査ドライバ
３Ａ    制御部
ＳＤ１，ＳＤ２，……    ドライブスイッチ
ＳＲ１，ＳＧ１，ＳＢ１，……    ドライブスイッチ
ＳＫ１，ＳＫ２，……    走査スイッチ
ＳＫＲ１，ＳＫＧ１，ＳＫＢ１，……    走査スイッチ
ＶＨ    逆バイアス電圧
ＶＬ    走査電位
【図１Ａ】
2009134162.tif 000003
【図１Ｂ】
2009134162.tif 000004
【図２Ａ】
2009134162.tif 000005
【図２Ｂ】
2009134162.tif 000006
【図３Ａ】
2009134162.tif 000007
【図３Ｂ】
2009134162.tif 000008
【図４Ａ】
2009134162.tif 000009
【図４Ｂ】
2009134162.tif 000010
【図５Ａ】
2009134162.tif 000011
【図５Ｂ】
2009134162.tif 000012
【図５Ｃ】
2009134162.tif 000013
【図６】
2009134162.tif 000014
【図７Ａ】
2009134162.tif 000015
【図７Ｂ】
2009134162.tif 000016
【図８Ａ】
2009134162.tif 000017
【図８Ｂ】
2009134162.tif 000018
【図９】
2009134162.tif 000019
【図１０Ａ】
2009134162.tif 000020
【図１０Ｂ】
2009134162.tif 000021
【図１１】
2009134162.tif 000022
【図１２Ａ】
2009134162.tif 000023
【図１２Ｂ】
2009134162.tif 000024
【図１２Ｃ】
2009134162.tif 000025
【図１３】
2009134162.tif 000026